(57)【要約】【課題】シートカバーをシート側の凹凸状況に沿うようにしてその着脱を自在に覆設することができる連結用介在具およびこれを用いたシートへのシートカバーの取付け構造の提供。【解決手段】一方の面ファスナーを構成しているフックテープ１５部を、その表面１３に各フック片１５ａを表出させた断面略三角形状を呈する筒状体１２として形成し、該筒状体１２内に略円柱形状を呈する発泡体１８を密に収納させて連結用介在具１１を形成した。該連結用介在具１１は、シート側の縫合溝部内に押し込み、その覆設時にそのフック片１５ａと対面する位置に他方の面ファスナーを構成してしているループテープ部を各ループ片を表出させて配設したシートカバーを用いることで、シート側にシートカバーを着脱自在に取り付けた。【選択図】図１
0003138362.tif 000002
【実用新案登録請求の範囲】
【請求項１】
一方の面ファスナーを構成しているフックテープ部を、その表面に各フック片を表出させた筒状体として形成したことを特徴とする連結用介在具。
【請求項２】
前記筒状体は、断面略三角形状を呈する請求項１に記載の連結用介在具。
【請求項３】
前記筒状体の内部空間内には、柱状の発泡体を収納した請求項１または２に記載の連結用介在具。
【請求項４】
前記発泡体は、略円柱形状を呈して前記筒状体の内部空間内に密に収納させた請求項３に記載の連結用介在具。
【請求項５】
双方向から引き込んで縫い合わせた際に形成される略Ｖ字状を呈する縫合溝部を有するシート側の主表面にシートカバーを着脱自在に覆設してなるシートへのシートカバーの取付け構造において、
前記シートは、前記縫合溝部の長さ方向に沿わせて押し込んで固定させた請求項１ないし４のいずれかに記載の連結用介在具を備え、
前記シートカバーには、その覆設時に前記連結用介在具が備える前記フック片と対面する位置に他方の面ファスナーを構成してしているループテープ部を各ループ片を表出させて配設して前記シート側との着脱を自在としたことを特徴とするシートへのシートカバーの取付け構造。
【請求項６】
前記シートは、車両用シートである請求項５に記載のシートへのシートカバーの取付け構造。
【考案の詳細な説明】
【技術分野】
【０００１】
本考案は、シートカバーをシート側の凹凸状況との関係で浮き上がることなく着脱自在に覆設することができるようにした連結用介在具およびこれを用いたシートへのシートカバーの取付け構造に関する技術である。
【背景技術】
【０００２】
車両用シートを含む各種のシートは、汚れを防止したり装飾したりするためにシートカバーを覆設してその利用に供される例が多い。この場合、シートカバーは、その座面が位置ずれを起こしやすいことから、例えば下記特許文献１に示されているように、座面と背もたれの密接する隙間に抜止め部を配置して位置ずれを防止できるようにしたものもある。
【特許文献１】特開平２００６−２８８４９７号公報
【０００３】
上記特許文献１に開示されている抜止め部は、カバー本体部との間に面ファスナーを介在させ、該面ファスナーの掛着力によりシートカバーをシートの背もたれ側に位置固定させて位置ずれを防止しようとするものである。
【考案の開示】
【考案が解決しようとする課題】
【０００４】
しかし、車両用シートを含む各種のシートは、通常、座面とその周辺領域に凹凸面が形成されており、座った際にシートカバーがその凹凸状況に対応できずに浮き上がっるように引っ張られてしまうという不都合があった。
【０００５】
また、このような引っ張られ方をしないようにシートカバーをシートに覆設しようとする場合には、複雑な固定機構を用いて位置固定しなければならず、その取り付けと取り外しとが煩雑になるほか、シート側を傷つけて商品価値を低下させる不具合もあった。
【０００６】
本考案は、従来技術にみられた上記課題に鑑み、シートカバーをシート側の凹凸状況に常に対応させた状態で安定的に、かつ、着脱自在に覆設することができ連結用介在具およびこれを用いたシートへのシートカバーの取付け構造を提供することを目的とする。
【課題を解決するための手段】
【０００７】
本考案は、上記目的を達成すべくなされたものであり、そのうちの第１の考案（連結用介在具）は、一方の面ファスナーを構成しているフックテープ部を、その表面に各フック片を表出させた筒状体として形成したことを最も主要な特徴とする。この場合、前記筒状体は、断面略三角形を呈する形状に形成するのが望ましい。
【０００８】
また、前記筒状体の内部空間内には、柱状の発泡体を収納しておくのが好ましい。この場合、前記筒状体が断面略三角形状を呈するものであれば、前記発泡体は、略円柱形を呈して密に収納できるように形成したものを用いるのが望ましい。
【０００９】
一方、第２の考案（シートへのシートカバーの取付け構造）は、双方向から引き込んで縫い合わせた際に形成される略Ｖ字状を呈する縫合溝部を有するシートの主表面にシートカバーを着脱自在に覆設してなるシートへのシートカバーの取付け構造において、前記シートは、前記縫合溝部の長さ方向に沿わせて押し込んで固定させた請求項１ないし４のいずれかに記載の連結用介在具を備え、前記シートカバーには、その覆設時に前記連結用介在具が備える前記フック片と対面する位置に他方の面ファスナーを構成してしているループテープ部を各ループ片を表出させて配設して前記シート側との着脱を自在としたことを最も主要な特徴とする。この場合、前記シートには、車両用シートが含まれる。
【考案の効果】
【００１０】
請求項１に係る考案によれば、連結用介在具は、内部空間を有しているので、シートに形成される略Ｖ字状を呈する縫合溝部内に円滑に押し込んで固定させることができる。
【００１１】
請求項２に係る考案によれば、連結用介在具は、断面略三角形状を呈しているので、シートの縫合溝部内に三面中の一面を表出させた状態のもとでより円滑に押し込んで固定させることができる。
【００１２】
請求項３に係る考案によれば、筒状体の内部空間内には、柱状の発泡体が収納されているので、シートの縫合溝部内に押し込んだ際に発泡体の復元力により、より確実に固定させることができる。
【００１３】
請求項４に係る考案によれば、発泡体は、略円柱形状を呈して筒状体の内部空間内に密に収納させてあるので、筒状体が断面略三角形状を呈するものであれば、シートの縫合溝部内により容易に押し込むことができるほか、押し込んだ後の発泡体の復元力をより強力にして確実に、かつ、安定的に固定させることができる。
【００１４】
請求項５に係る考案によれば、請求項１ないし４のいずれかに記載の連結用介在具をシートの縫合溝部の長さ方向に沿わせて押し込むことで固定させることができる。また、シートカバーには、その覆設時に連結用介在具と対面する位置に他方の面ファスナーを構成しているループテープ部が各ループ片を表出させて配設されている。このため、該ループテープ部の各ループ片とフックテープ部の各フック片とを単に掛止させることで、シートに対し位置ずれしないようにして簡単にシートカバーを覆設することができる。
【００１５】
また、シートからシートカバーを取り外す際には、単にループテープ部と連結用介在具との掛合関係を解消させることで簡単に行うことができるほか、長期に亘り覆設しておいても、シート側に無用な傷を付けることもなくすことができる。
【００１６】
請求項６に係る考案によれば、シートが車両用シートであるので、シートカバーの着脱を簡単に行うことができるばかりでなく、車両用シート自体に傷を付けることもないので、車両の下取りさせる際のリセール価値をそれだけ高めることができる。
【考案を実施するための最良の形態】
【００１７】
図１は、第１の考案の一例を示す全体斜視図であり、連結用介在具１１の全体は、一方の面ファスナーを構成しているフックテープ部１５を各表面１３にフック片１５ａを表出させて略三角形状を呈するように形成された筒状体１２と、筒状体１２の内部空間１４内に密に収納された略円柱状を呈する発泡体１８とで構成されている。
【００１８】
このうち、筒状体１２は、例えば一辺の長さが１６ｍｍ程度の略正三角形を呈し、奥行きが例えば８〜１２ｃｍ程度となるように、フックテープ部１５を各角部１６が形成されるように高周波溶着するなどした、適宜サイズを付与して一体的に形成することができる。
【００１９】
発泡体１８は、略円柱形状を呈するようにポリエチレンなどを発泡させて形成されており、筒状体１２の各一辺がそれぞれの接線となる配置関係となる外径が付与されて、筒状体１２の内部空間１４内に密に収納できるようになっている。
【００２０】
図２は、第２の考案が適用されるシートを車両用シートを例に示す斜視図であり、図３は、図２に一点鎖線での囲繞部位として示す部分を例に、シートカバーを覆設する際の状態を拡大して示す要部斜視図である。
【００２１】
これらに図によれば、シート２１のひとつである車両用シート２２は、乗車時に乗員が座るための座部２４を有するシート本体部２３と、該シート本体部２３の後縁側から立ち上げて乗員の背中を支えるための背もたれ部２８を有するバックシート部２７とを少なくとも備えて図示しない車体側に配置されている。
【００２２】
この場合、シート本体部２３は、乗車時に乗員の身体をその大腿部で軽く支えることができるように座部２４の左右に各別に設けた隆起部２５を備えて形成されている。
【００２３】
また、バックシート部２７は、乗車時に乗員の身体をその両脇部で軽く支えることができるように背もたれ部２８の左右に各別に設けた隆起部２９を備えて形成されている。
【００２４】
この場合、シート本体部２３における座部２４と隆起部２５との境界には、双方向からシート材を引き込んで縫い合わせた際に形成される略Ｖ字状を呈する縫合溝部２６が位置することになる。
【００２５】
また、バックシート部２７における背もたれ部２８と隆起部２９との境界には、シート本体部２３と同様に双方向からシート材を引き込んで縫い合わせた際に形成される略Ｖ字状を呈する縫合溝部３０が位置することになる。
【００２６】
しかも、シート本体部２３側の縫合溝部２６とバックシート部２７の縫合溝部２６との適宜位置には、その長さ方向に沿わせて図３に示すように連結用介在具１１を押し込んで固定配置することができる。
【００２７】
一方、車両用シート２２側の主表面に覆設されるシートカバー３１は、図４に示す覆設状態からも明らかなように、シート本体部２３が備える座部２４と隆起部２５との間に形成される凹凸状況や、バックシート部２７が備える背もたれ部２８と隆起部２９との間に形成される凹凸状況によく対応させることができる立体形状が付与された天然皮革や合成皮革により形成されている。
【００２８】
しかも、シートカバー３１には、その覆設時に個々の連結用介在具１１と対面する位置である裏面３２側に、他方の面ファスナーを構成しているループテープ部３３が、図３に示すように各ループ片３３ａを表出させた状態のもとで配設されている。
【００２９】
このため、シートカバー３１を車両用シート２２側の主表面に覆設する際には、シートカバー３１を車両用シート２２に仮の状態で覆設し、その裏面３２に備えるループテープ部３３の位置関係を予め確認し、ループテープ部３３と対面する車両用シート２２のシート本体部２３側の縫合溝部２６や、バックシート部２７側の縫合溝部３０内に連結用介在具１１を押し込んでこれを固定させる。
【００３０】
このとき、連結用介在具１１は、略三角形状を呈する筒状体１２の内部空間１４内に密に接する図１に示す略円柱状を呈する発泡体１８を備えているので、三面からなる表面１３のうちの一面側に表面１３を表出させた状態のもとでひとつの角部１６側から送り込むことで縫合溝部２６内や縫合溝部３０内に簡単に押し込むことができるほか、その固定状態も発泡体１８の変形後の復元力によりより確実なものとすることができる。
【００３１】
このようにして車両用シート２２に連結用介在具１１を固定させた後は、シートカバー３１を車両シート２２側の主表面に正式に覆設し、各ループテープ部３３の個々のループ片３３ａを対面する位置関係にある連結用介在具１１が備える個々のフック片１５ａに単に掛止させることで、車両用シート２２側に対し位置ずれしないようにして簡単にシートカバー３１を覆設することができることになる。
【００３２】
このため、車両用シート２２からシートカバー３１を取り外す際には、単にループテープ部３３と連結用介在具１１側のフックテープ部１５との間の掛合関係を解消させることで、簡単に行うことができるほか、長期に亘り覆設しておいても、車両用シート２２側に無用な傷を付けることをなくすことができる。
【００３３】
したがって、シートカバー３１が覆設された車両用シート２２を備える車両は、下取りさせる際のリセール価値をそれだけ高めてやることができる。
【００３４】
以上は、図示例に基づいて本考案を説明したものであり、その具体的な内容は、これに限定されるものではない。例えば、筒状体１２は、断面が円形や楕円形に形成したり、四角形を含む多角形に形成することもできる。また、筒状体１２内に収納される発泡体１８も略円柱形状を呈するもののほか、筒状体１２の断面形状との関係で定まる適宜形状の柱状を呈するものであってもよい。
【００３５】
また、第２の考案が適用されるシート１１には、座部と縫合溝部とを有するものでさえあれば、車両用シート２２以外の例えば飛行機や列車の座席のほか、民生用のソファや安楽椅子なども含まれる。
【図面の簡単な説明】
【００３６】
【図１】第１の考案の一例を示す全体斜視図。
【図２】第２の考案の適用例を車両用シートを例に示す斜視図。
【図３】第２の考案につき、車両用シートにシートカバーを覆設する際の状態を図２に一点鎖線で示す囲繞領域について拡大して示す要部斜視図。
【図４】第２の考案につき、図２に示す車両用シートにシートカバーを覆設した状態を正面上方位置より見下ろした状態で示す斜視図。
【図５】第２の考案につき、車両用シートにシートカバーを覆設した後の状態を図３に一点鎖線で示す囲繞領域について拡大して示す要部斜視図。
【符号の説明】
【００３７】
１１  連結用介在具
１２  筒状体
１３  表面
１４  内部空間
１５  フックテープ部
１５ａ  フック片
１６  角部
１８  発泡体
２１  シート
２２  車両用シート
２３  シート本体部
２４  座部
２５  隆起部
２６  縫合溝部
２７  バックシート部
２８  背もたれ部
２９  隆起部
３０  縫合溝部
３１  シートカバー
３２  裏面
３３  ループテープ部
３３ａ  ループ片
【図１】
0003138362.tif 000003
【図２】
0003138362.tif 000004
【図３】
0003138362.tif 000005
【図４】
0003138362.tif 000006
【図５】
0003138362.tif 000007